(57)【特許請求の範囲】
【請求項１】
物品収納部の周縁にフランジ部を有するパック本体と、該フランジ部に貼着される台紙を備え、該パック本体はこれよりも大きく形成した台紙にハンドリング部を残すようにして貼着し、該台紙には上記フランジ部の内縁に沿ってハーフカット部を設けると共にハンドリング部側のフランジ部の外縁に沿うような折線を形成し、該折線は上記台紙を製造したときの抄き目と平行しまたは直交しており、上記折線側の台紙とフランジ部の間に引剥がし用の非粘着部を設けたブリスターパック。
【請求項２】
上記台紙は長方形状であり、平面形状が略正方形のパック本体を一方に片寄せて貼付した請求項１記載のブリスターパック。
【請求項３】
上記台紙に形成した折線は、パック本体のフランジ部の外縁と重なり合っている請求項１または２記載のブリスターパック。
【請求項４】
上記台紙に形成した折線は、パック本体のフランジ部の外縁の両側に部分的に形成されている請求項１または２記載のブリスターパック。
【発明の詳細な説明】
【０００１】
【発明の属する技術分野】
本発明は、ブリスタ−パックの改良に関する。
【０００２】
【従来の技術】
従来、ブリスタ−パックは大きな台紙の一部に物品を収納したパック本体を貼着しており、このパック本体を貼付けていない部分に、商標や商品説明などを記載していた。
しかし、台紙が大きいと展示場所を広くとることになり、店頭での展示スペ−スが限られているところでは不都合を生じるようになったし、運搬コストや取扱いの面でも問題が生じてきた。
【０００３】
そこで、台紙３０が次第に小さくされて行ったが、台紙が小さくなるにつれて、商標や商品説明などを記載する場所が少なくなって来たので、従来の表示３１に加えて、パックを開いて商品を取出した後で必要となる取扱い説明などの表示３２は、商品を収納したパック本体３３によって覆われている部分にも表示されるようになって来た。
こうしたブリスタ−パックでは、パック本体３３の引剥し部が台紙の下方の隅部側に位置しているので、この引剥し部と台紙を摘んでから斜上方に向ってパック本体を台紙から引剥すようにすると、台紙とパック本体の貼着部からきれいには剥れず、パック本体と共に台紙の表面３４が薄く剥取られてしまい、パック本体で覆われていた表示が読めなくなっていた（図８、図９）。
【０００４】
【発明が解決しようとする課題】
本発明は、台紙からパック本体を引剥して収納物品を取出すときに、パック本体によって覆われている台紙上の表示を損傷することなく、きれいに残した状態にし、かつパック本体の台紙からの取外しを一層容易に行えるようにするものである。
【０００５】
【課題を解決するための手段】
本発明は、物品の収納部のあるパック本体よりも大きな台紙を用い、このパック本体を台紙の一部分に貼着固定する。この台紙には、これに貼着したパック本体のフランジ部の内縁に沿ってハーフカット部を設ける。そして、台紙のパック本体が貼付けられていないハンドリング部側には、上記フランジ部の外縁に沿うような折線を形成し、この折線は上記台紙を製造したときの抄き目と平行しまたは直交している。この折線側の台紙とフランジ部の間に引剥し用の非粘着部を設けており、上記台紙の折線を使用すると非粘着部からパック本体を容易に引剥すことができ、ハーフカット部によって台紙の表面が剥ぎ取られることもなく、スムーズにパック本体を取外すことができる。
【０００６】
【発明の実施の形態】
パック本体１には、物品を収納する突起状の収納部２を形成しており、収納部２の周囲には外方へ伸びるフランジ部３を設けている。このパック本体は、通例、収納部２に収納した物品が透視できるように透明性のプラスチック材料を使用して形成するとよい。
台紙１１は、通例ボ−ル紙等の厚紙の表面にヒ−トシ−ルのためのシ−ラント層を設けるようにするとよい。この台紙は上記パック本体１よりも大きく形成されており、パック本体を台紙の一部分に貼着し、パック本体が貼着されていない部分をハンドリング部１２にする。
図示するものは、長方形状に形成した台紙１１の一方に片寄せて、正面から見て略正方形状のパック本体１を貼着しており、パック本体の中心部には中に収納したテ−プ２０の巻芯部２１に嵌入する凹部４が設けてあり、ハンドリング部１２には吊下孔１３を設けている。
【０００７】
上記台紙１１には、パック本体１のフランジ部３の内縁部５に沿うようにして、台紙の厚味の途中まで侵入しているハ−フカット部１４を形成している。この場合、上記内縁部５のやゝ内側にハ−フカット部を設けるようにするとよい。
また、上記台紙のハンドリング部１２側には、パック本体のフランジ部３の外縁部６に沿うように、ハンドリング部１２をパック本体１とは反対側に折曲げることができるような折線１５を形成している。この折線は片面押しまたは両面押しによって形成することができる。
【０００８】
パック本体１のフランジ部３は台紙１１に貼着されるが、上記折線１５側の一部には、フランジ部３が台紙１１に貼着されない非貼着部７を形成しており、図示のものでは、折線側のフランジ部３の一隅に非貼着部７を形成している。
【０００９】
上記台紙１１の表面には、そのハンドリング部１２に商標、商品説明などの記事１６を表記することができるし、ハ−フカット部１４の内側面１７にも商品の取扱い説明、使用法など、パック本体を取外して収納物品を取出した後で見る表示１８などを記載するようにするとよい（図５）。また、台紙の裏面側に表示を設けることは従来どおり自由に行うことができる。
【００１０】
これを使用する場合、台紙１１のハンドリング部１２を折線１５でパック本体１とは反対側に折曲げると、フランジ部３の外縁部６が台紙１１から充分に離れたような状態となるので、パック本体１の収納部２と台紙１１のハンドリング部１２を持って引張ると、折線１５に近接して位置する非貼着部７から容易に剥れ始め、フランジ部３に台紙１１の表面１９が貼付いた状態で剥れて行くが、フランジ部３の内縁部５にはハ−フカット部１４が形成されているので、該ハ−フカット部で表面１９が剥されるのは止まり、それより内側の台紙表面は剥されることがなく、パック本体が剥されて、台紙との間に開口が形成されるので収納部２に収められている収納物を取出すことができる（図３、図４、図５、図６）。
【００１１】
そして、ハ−フカット部１４の内側面１７は剥取られていないので、そこに表示されている表示１８も明瞭に見ることができ、収納物の使用法などの記事に従って、品物を使用したりすることができる（図５、図６）。
また、上記台紙１１に形成する折線１５は、台紙を製造したときの抄き目と平行するように形成したり、抄き目と直交するように形成すると好ましい。発明者に実験によれば、折線１５を台紙の抄き目と平行または直交するようにすると、この折線１５からパック本体１が引き剥がすときに、抄き目と平行しまたは直交しながら台紙の表面から浅い部分で剥がされるようになり、ハーフカット部１４の内側面１７は一層剥取られないようになった。この場合、台紙の抄き目に斜めんなるように剥がすとハーフカット部１４の内側面１７が一部剥取られることが稀に見られた。
【００１２】
図７に示すものは、パック本体のフランジ部の外縁部において、台紙１１の両側部分に部分的に折線２３を形成したもので、台紙とフランジ部との間の非粘着部はこの折線２３に隣接して設けるようにすると、上記と同様にして使用することができる。
【００１３】
【発明の効果】
本発明は上記したように、台紙に形成した折線、ハ−フカット部、台紙とパック本体のフランジ部の間に設けた非貼着部、台紙の抄き目と平行または直交する折線等によって、台紙からパック本体を軽い操作によって容易に剥がすことができるし、パック本体を取外したときに、これによって覆われている台紙表面を引剥すこともなく、収納、展示用のブリスタ−パックとして広く好適に用いることができる。
【図面の簡単な説明】
【図１】本発明の実施例を示す斜視図である。
【図２】図１の断面図である。
【図３】台紙の折線部分の一部省略拡大説明図である。
【図４】台紙からパック本体を剥すときの説明図である。
【図５】台紙からパック本体を剥した後の台紙の状態を示す説明図である。
【図６】台紙からパック本体を剥した後のパック本体の状態を示す説明図である。
【図７】他例の台紙を示す正面図である。
【図８】従来の台紙からパック本体を剥した後の台紙の状態を示す説明図である。
【図９】従来の台紙からパック本体を剥した後のパック本体の状態を示す説明図である。
【符号の説明】
１    パック本体
２    収納部
３    フランジ部
５    フランジ部の内縁部
６    フランジ部の外縁部
７    フランジ部の非貼着部
１１  台紙
１２  ハンドリング部
１４  ハ−フカット部
１５、２３  折線
１６、１８  表示
１９  台紙の表面
３０  台紙
３１、３２  表示
３３  パック本体
３４  台紙の表面
【図１】
0003700155.tif 000002
【図２】
0003700155.tif 000003
【図３】
0003700155.tif 000004
【図４】
0003700155.tif 000005
【図５】
0003700155.tif 000006
【図６】
0003700155.tif 000007
【図７】
0003700155.tif 000008
【図８】
0003700155.tif 000009
【図９】
0003700155.tif 000010